(57)【要約】【課題】送信先コンピュータのアドレスや電子メールアドレスの入力を行うことなく、読取った画像データを所定の出力先コンピュータに送信することができるネットワーク通信用スキャナ装置を提供することにある。【解決手段】ネットワーク用スキャナ装置１００は、原稿台に載置された対象物原稿を走査により読取って画像データを取得する画像読取り部１０２と、ネットワークを介してパーソナルコンピュータ等の外部機器との通信を行う通信部１０３と、装置全体に電源を供給する電源部１０４、スキャン開始を指示するボタン１０５と、各種プログラムを格納するＲＯＭ１０６と、スキャン画像データを一時保存するＲＡＭ１０７と、外部機器のアドレス入力、及び対象物原稿が置かれた位置領域を指定するための入力部１０８と、入力部１０８により入力されたアドレス等を確認のために表示する表示部１０９と、これらの構成要素の動作を制御するＣＰＵ１０１とを備えている。【選択図】      図１
2005045369.tif 000002
【特許請求の範囲】
【請求項１】
対象物原稿を載置する原稿台と、前記原稿台に載置された対象物原稿を走査により読取る画像読取り手段と、前記読取られた対象物原稿の画像データを複数の外部装置にネットワークを介して出力する出力手段とを備えるネットワーク通信用スキャナ装置において、前記原稿台に載置された前記対象物原稿の位置を判定する位置判定手段と、前記判定された対象物原稿の位置に基づいて前記外部装置のうち前記読取られた画像データの出力先を決定する出力先決定手段とを有することを特徴とするネットワーク通信用スキャナ装置。
【発明の詳細な説明】
【０００１】
【発明の属する技術分野】
本発明は、ネットワーク通信用スキャナ装置に関する。
【０００２】
【従来の技術】
従来、スキャナ装置をネットワークを介してコンピュータ等に接続し、スキャナ装置により読取った画像データを送信先コンピュータ等に転送する提案がいくつかなされている。あるスキャナ装置では、読取った画像データを電子メールで送信先コンピュータ等に送信しており（例えば、特許文献１参照）、また、別のスキャナ装置では、アドレスの文字認識により送信先コンピュータのアドレスを取得することにより、送信先アドレスの入力の手間を省いている（例えば、特許
文献２参照）。
【０００３】
【特許文献１】
特開平８−１０２８３７号公報
【特許文献２】
特開平１０−１７１５７号公報
【０００４】
【発明が解決しようとする課題】
しかしながら、前者のスキャナ装置では、スキャナ装置は画像データ送信時に送信先コンピュータのアドレスを指定しなくてはならないために手間がかかり、後者のスキャナ装置では、画像データ送信毎にアドレスの文字認識作業を必要としている。
【０００５】
本発明の目的は、送信先コンピュータのアドレスや電子メールアドレスの入力を行うことなく、読取った画像データを所定の出力先コンピュータに送信することができるネットワーク通信用スキャナ装置及び方法を提供することにある。
【０００６】
【課題を解決するための手段】
上述の目的を達成するために、請求項１記載のネットワーク通信用スキャナ装置は、対象物原稿を載置する原稿台と、前記原稿台に載置された対象物原稿を走査により読取る画像読取り手段と、前記読取られた対象物原稿の画像データを複数の外部装置にネットワークを介して出力する出力手段とを備えるネットワーク通信用スキャナ装置において、前記原稿台に載置された前記対象物原稿の位置を判定する位置判定手段と、前記判定された対象物原稿の位置に基づいて前記外部装置のうち前記読取られた画像データの出力先を決定する出力先決定手段とを有することを特徴とする。
【０００７】
【発明の実施の形態】
以下、本発明の実施の形態に係るネットワーク通信用スキャナ装置を図面を参照して詳述する。
【０００８】
図１は、本発明の実施の形態に係るネットワーク通信用スキャナ装置の概略構成を示すブロック図である。
【０００９】
図１において、ネットワーク通信用スキャナ装置１００は、ネットワークを介してパーソナルコンピュータ等の外部機器と接続されている。ネットワーク用スキャナ装置１００は、図示しない原稿台に載置された対象物原稿を走査（スキャン）により読取って画像データを取得する画像読取り部１０２と、ネットワークを介してパーソナルコンピュータ等の外部機器との通信を行う通信部１０３と、装置全体に電源を供給する電源部１０４、スキャン開始を指示するボタン１０５と、各種プログラムを格納するＲＯＭ１０６と、スキャン画像データを一時保存するＲＡＭ１０７と、外部機器のアドレス入力、及び対象物原稿が置かれた位置領域を指定するための入力部１０８と、入力部１０８により入力されたアドレス等を確認のために表示する表示部１０９と、これらの構成要素の動作を制御するＣＰＵ１０１とを備え、これらの構成要素は互いにバスで接続されている。
【００１０】
画像読取り部１０２は、対象物原稿を載置する原稿台、原稿台上に載置された対象物原稿の画像を光学的に読取りためのレンズやその撮像信号をアナログ出力するＣＣＤ、アナログ出力された画像データをデジタル変換するＡ／Ｄ変換、色処理等を行う画像処理部等を含む。原稿台のサイズは対象物原稿のサイズより大きい。
【００１１】
上記画像読取り部１０２は、読取った画像データを１ライン毎にデジタルデータとしてＣＰＵ１０１に転送し、ＣＰＵ１０１はその画像データをＲＡＭ１０７に保存する。この処理は、画像データのすべてのラインについて行われる。
【００１２】
ＲＯＭ１０６は、ある領域内に置かれた対象物を入力した場合は所定のアドレスに転送されるように登録するためのプログラム、対象物が載っている領域を判定するプログラム、判定した結果その領域における出力先が登録されているかどうかを検索するプログラム、ＣＰＵ１０１でデータを必要に応じて圧縮するプログラム、メモリが保存したデータを外部装置に通信部を介して転送するプログラム等を含む。
【００１３】
表示部１０９は、図２に示す画面２００を表示する。画面２００は、プレビュー画像２０１を内包し、さらに、画面２００の下方に、領域指定ボタン２０３、出力先入力ウィンドウ２０４、及び登録ボタン２０５を有する。
【００１４】
画像読取り部１０２の原稿台上に載置された対象物原稿の位置は、当該対象物原稿がスキャンされたときに、この対象物原稿が後述する図２の画面に登録された領域（図３）のどれに属するかに応じて判定される（図４）。
【００１５】
図３は、図１のスキャナ装置によって実行される送信先コンピュータの出力先登録処理を示すフローチャートである。
【００１６】
図３において、画像読取り部１０２で対象物原稿をプレスキャンすることにより、当該プレスキャンで取得されたプレビュー画像２０１を表示部１０９に表示し（図２）（ステップＳ３０１）、領域指定ボタン２０３を押下することにより、プレスキャン画像２０１のうち一部の特定の領域２０２を指定する（ステップＳ３０２）。
【００１７】
続くステップＳ３０３では、今回指定した領域２０２が、既に指定されている領域を内包しているか、又は既に指定されている領域が今回指定した領域を内包していいるかをチェックすることにより、今回指定した領域２０２が既に指定されている領域と重複しているか否かを判別し、重複していないときは、転送すべき送信先アドレスを入力部１０８により出力先入力ウィンドウ２０４に入力し、登録ボタン２０５を押下することにより、その送信先アドレスを指定領域２０２に対応させて登録して（ステップＳ３０４）、本処理を終了する。
【００１８】
ステップＳ３０４の判別の結果、今回指定した領域２０２が既に指定されている領域と重複している場合は、ステップＳ３０２の処理により再度指定し直す。
【００１９】
これにより、指定した領域の４隅の座標が分かる。その中にスキャンする対象物が存在しているときは、指定の出力先を指定できるようになる。出力先の指定方法は、電子メールアドレスやＷＷＷサーバのＵＲＬ等が考えられる。
【００２０】
図４は、図１のスキャナ装置によって実行される送信先コンピュータへの送信処理を示すフローチャートである。
【００２１】
図４において、まず、ボタン１０５を押下すると（ステップＳ４０１）、画像読取り部１０２は、対象物原稿のスキャンを開始して、１ライン毎に読み込んだ画像データをＣＰＵ１０１に転送し（ステップＳ４０２）、ＣＰＵ１０１は、その画像データをＲＡＭ１０７に順次格納していく（ステップＳ４０３）。
【００２２】
ステップＳ４０２及びＳ４０３の画像読取り部１０２によるスキャン並びにＲＡＭ１０７への格納が終了すると（ステップＳ４０４でＹＥＳ）、ステップＳ４０４で、以下のように、ＲＡＭ１０７に格納された画像データについて対象物原稿が載っている原稿台上の座標を求める領域判定処理を行う（ステップＳ４０５）。この領域判定処理により、対象物原稿が載置されている部分をエッジ検出などにより求めて、座標を判定する。位置検出はその他にもさまざまなものがあるが、それらのどれを用いても構わない。
【００２３】
次いで、原稿台に載置された対象物原稿の位置が登録された領域内にあるか否かを判別し（ステップＳ４０６）、原稿台に載置された対象物原稿の位置が登録された領域内にあれば、指定された送信先コンピュータに転送し（ステップＳ４０７）、登録された領域内になければ、通常の送信処理に移行した（ステップＳ４０８）後、本処理を終了する。
【００２４】
図４の処理によれば、原稿台に載置された対象物原稿の位置に基づいて送信先コンピュータに転送するので、送信先コンピュータのアドレスや電子メールアドレスの入力を行うことなく、読取った画像データを所定の出力先コンピュータに送信することができる。
【００２５】
本発明の実施態様の例を以下に列記する。
【００２６】
〔実施態様１〕  対象物原稿を載置する原稿台と、原稿台に載置された対象物原稿を走査により読取る画像読取り手段と、前記読取られた対象物原稿の画像データを複数の外部装置にネットワークを介して出力する出力手段とを備えるネットワーク通信用スキャナ装置において、前記原稿台に載置された前記対象物原稿の位置を判定する位置判定手段と、前記判定された対象物原稿の位置に基づいて前記外部装置のうち前記読取られた画像データの出力先を決定する出力先決定手段とを有することを特徴とするネットワーク通信用スキャナ装置。
【００２７】
〔実施態様２〕  前記出力先決定手段は、前記対象物原稿の位置に対応して前記出力先を予め登録していることを特徴とする実施態様１記載のネットワーク通信用スキャナ装置。
【００２８】
〔実施態様３〕  対象物原稿を載置する原稿台と、原稿台に載置された対象物原稿を走査により読取る画像読取り手段と、前記読取られた対象物原稿の画像データを複数の外部装置にネットワークを介して出力する出力手段とを備えるネットワーク通信用スキャナ装置の出力先決定方法において、前記原稿台に載置された前記対象物原稿の位置を判定する位置判定ステップと、前記判定された対象物原稿の位置に基づいて前記外部装置のうち前記読取られた画像データの出力先を決定する出力先決定ステップとを有することを特徴とするネットワーク通信用スキャナ方法。
【００２９】
〔実施態様４〕  前記出力先決定ステップは、前記対象物原稿の位置に対応して前記出力先を予め登録していることを特徴とする実施態様３記載のネットワーク通信用スキャナ方法。
【００３０】
【発明の効果】
以上詳細に説明したように、請求項１記載のネットワーク通信用スキャナ装置によれば、原稿台に載置された対象物原稿の位置に基づいて出力先外部装置に出力するので、出力先外部装置のアドレスや電子メールアドレスの入力を行うことなく、読取った画像データを所定の出力先外部装置に出力することができる。
【図面の簡単な説明】
【図１】本発明の実施の形態に係るネットワーク通信用スキャナ装置の概略構成を示すブロック図である。
【図２】図１における表示部１０９の表示画面を示す図である。
【図３】図１のスキャナ装置によって実行される送信先コンピュータの出力先登録処理を示すフローチャートである。
【図４】図１のスキャナ装置によって実行される送信先コンピュータへの送信処理を示すフローチャートである。
【符号の説明】
１００  ネットワーク通信用スキャナ装置
１０１  ＣＰＵ
１０２  画像読取り部
１０３  通信部
１０４  電源部
１０５  ボタン
１０６  ＲＯＭ
１０７  ＲＡＭ
１０８  入力部
１０９  表示部
【図１】
2005045369.tif 000003
【図２】
2005045369.tif 000004
【図３】
2005045369.tif 000005
【図４】
2005045369.tif 000006